(57)【要約】【課題】紐状接触材３を均一に張設でき、好気性微生物による酸化分解の効率が高まり、搬送スペースが縮小し組み立て作業性が向上する。【解決手段】紐状支持体５の両端部に梁体挿通部６を形成し、パイプ状支持体４に紐状支持体５を挿通して紐状支持体５の両端部の梁体挿通部６をパイプ状支持体４の両端開口７から導出する。パイプ状支持体４に紐状接触材３を間隔をおいて懸架する。パイプ状支持体４に嵌着した円弧状の紐状接触材保持具８にてパイプ状支持体４に懸架した紐状接触材３を保持する。パイプ状支持体４に挿通した紐状支持体５の両端部の梁体挿通部６に梁体１０を挿通する。【選択図】　　　　図１
2004066189.tif 000002
【特許請求の範囲】
【請求項１】
梁体挿通部を両端部に形成した紐状支持体と、
この紐状支持体を挿通しこの紐状支持体の両端部に形成した梁体挿通部を両端開口から導出したパイプ状支持体と、
このパイプ状支持体に間隔をおいて懸架された紐状接触材と、
前記パイプ状支持体に嵌着されこのパイプ状支持体に懸架された前記紐状接触材を保持する円弧状の紐状接触材保持具と、
前記パイプ状支持体に挿通した前記紐状支持体の両端部に形成されている梁体挿通部に挿通された梁体と
を具備したことを特徴とする水処理槽用接触材の支持装置。
【請求項２】
梁体に嵌着されこの梁体を挿通した紐状支持体の両端部を保持する円弧状の紐状支持体保持具を備えたことを特徴とする請求項１記載の水処理槽用接触材の支持装置。
【請求項３】
左右の梁体を平行状に水平連結体にて連結した上部枠状体と下部枠状体とを形成し、
この上部枠状体と下部枠状体とを平行状に垂直連結体にて連結して骨組み枠体を形成し、
前記上部枠状体のパイプ状支持体に紐状接触材の上部を支持するとともに、前記下部枠状体のパイプ状支持体に紐状接触材の下部を支持した
ことを特徴とする請求項１または２記載の水処理槽用接触材の支持装置。
【発明の詳細な説明】
【０００１】
【産業上の利用分野】
本発明は、汚水を浄化処理する微生物が担持される紐状接触材を支持する水処理槽用接触材の支持装置に関する。
【０００２】
【従来の技術】
従来、例えば実公平１−１１３５８号公報に記載されているように、水処理槽内に区画された接触酸化槽内に多数の紐状接触材を張設し、この紐状接触材に好気性微生物を付着させ、接触酸化槽内に配設した曝気装置から空気を曝気し、酸素の供給によって、被処理水中の有機物質を紐状接触材に担持する好気性微生物にて酸化分解して浄化処理する水処理槽用接触材が知られている。
【０００３】
この実公平１―１１３５８号公報に記載の水処理槽用接触材の支持装置は、多数の紐状接触材の端部をそれぞれ間隔をもって取り付けた上部及び下部筒状布体に、それぞれ水処理槽内の接触酸化槽内の上部及び下部に架設されるパイプ状支持体を挿通し、これら各パイプ状支持体に筒状布体を挟んで円弧状の固定具を嵌着し、筒状布体が移動されないように保持して、多数の紐状接触材を所定間隔で張設して保持する構造が採られている。
【０００４】
しかしながら、上記実公平１−１１３５８号公報に記載の水処理槽用接触材の支持装置は、各パイプ状支持体を筒状布体にそれぞれ挿通しなければならず、組み立てが煩雑で、特に水処理槽の施工工事中に現地で組み立て作業を行うことは組み立て場所の確保や各部材の管理が困難となる。また、あらかじめ多数の紐状接触材を所定間隔で張設して組み立てたものを現地で設置するようにした場合には、搬送スペースが増大し、搬送コストが増大する問題がある。
【０００５】
そこで、特開平７―２９９４８７号公報に記載されているように、多数の紐状接触材を間隔をもって取り付けた帯状布体にその両端部に貫通開口した挿通部を長手方向に沿って形成し、この帯状布体の挿通部にパイプ状支持体を貫通挿通して紐状接触材を支持し、この左右のパイプ状支持体を水平連結体にて連結した上部枠状体と下部枠状体とをそれぞれ形成し、前記上部枠状体のパイプ状支持体に紐状接触材の上部を支持するとともに、前記下部枠状体のパイプ状支持体に紐状接触材の下部を支持した構造の水処理槽用接触材の支持装置が知られている。
【０００６】
【発明が解決しようとする課題】
上記特開平７―２９９４８７号公報に記載されている水処理槽用接触材の支持装置では、紐状接触材を取付けた紐状支持体の長手方向に沿った挿通部にパイプ状支持体を挿通するのみで、各パイプ状支持体を筒状布体にそれぞれ挿通する必要がなく作業性は向上されるが、この構造では、紐状接触材を取付けた紐状支持体は中間部が下方に撓み易く、紐状接触材に好気性微生物が均一に担持されにくくなり、好気性微生物による酸化分解の効率が低くなる問題があった。
【０００７】
本発明は、上記問題点に鑑みなされたもので、紐状接触材が均一に張設され、好気性微生物による酸化分解の効率が高められ、搬送スペースが縮小し組み立て作業性が向上される水処理槽用接触材の支持装置を提供するものである。
【０００８】
【課題を解決するための手段】
請求項１記載の発明の水処理槽用接触材の支持装置は、梁体挿通部を両端部に形成した紐状支持体と、この紐状支持体を挿通しこの紐状支持体の両端部に形成した梁体挿通部を両端開口から導出したパイプ状支持体と、このパイプ状支持体に間隔をおいて懸架された紐状接触材と、前記パイプ状支持体に嵌着されこのパイプ状支持体に懸架された前記紐状接触材を保持する円弧状の紐状接触材保持具と、前記パイプ状支持体に挿通した前記紐状支持体の両端部に形成されている梁体挿通部に挿通された梁体とを具備したものである。
【０００９】
そして、紐状接触材はパイプ状支持体に懸架するのみで張設でき、パイプ状支持体は紐状接触材を取付けた紐状支持体に挿通する必要がなく、また、紐状支持体を懸架したパイプ状支持体は撓みにくく、さらに、パイプ状支持体に懸架された紐状接触材は円弧状の紐状接触材保持具をパイプ状支持体に嵌着するのみで保持され、紐状接触材はずれ動くことがなく、紐状接触材の間隔を均一に張設でき、紐状接触材が均一に張設され、好気性微生物による酸化分解の効率が高められる。
【００１０】
請求項２記載の発明の水処理槽用接触材の支持装置は、請求項１記載の水処理槽用接触材の支持装置において、梁体に嵌着されこの梁体を挿通した紐状支持体の両端部を保持する円弧状の紐状支持体保持具を備えたものである。
【００１１】
そして、紐状接触材を懸架したパイプ状支持体に円弧状の紐状接触材保持具を嵌着するのみで保持され、このパイプ状支持体に挿通した紐状支持体は梁体に嵌着した円弧状の紐状支持体保持具にて位置決め保持され、紐状接触材の間隔が保持され、紐状接触材が確実に均一に張設され、好気性微生物による酸化分解の効率が高められる。
【００１２】
請求項３記載の発明の水処理槽用接触材の支持装置は、請求項１または２記載の水処理槽用接触材の支持装置において、左右の梁体を平行状に水平連結体にて連結した上部枠状体と下部枠状体とを形成し、この上部枠状体と下部枠状体とを平行状に垂直連結体にて連結して骨組み枠体を形成し、前記上部枠状体のパイプ状支持体に紐状接触材の上部を支持するとともに、前記下部枠状体のパイプ状支持体に紐状接触材の下部を支持したものである。
【００１３】
そして、多数の紐状接触材をパイプ状支持体に懸架し、紐状接触材を懸架したパイプ状支持体に円弧状の紐状接触材保持具を嵌着するのみで保持され、紐状接触材は間隔を保持され、また、パイプ状支持体に挿通した紐状支持体の両端部の挿通部にそれぞれ梁体を挿通して保持し、この梁体に水平連結体をそれぞれ連結して上部枠状体と下部枠状体とをそれぞれ形成し、この上部枠状体と下部枠状体を垂直連結体にて連結して骨組み枠体を形成することにより、組み立て性が向上しコストが低減するとともに、組み立てが容易であるため、上部枠状体と下部枠状体および骨組み枠体を現場にて容易に組立てられ、パイプ状支持体、水平連結体及び垂直連結体を部品の形態で搬送可能となり、搬送スペースが縮小し、安価で容易に搬送可能となる。
【００１４】
【発明の実施の形態】
本発明の水処理槽用接触材の支持装置の一実施の形態を図面を参照して説明する。
【００１５】
図示しない例えば、家庭用の汚水を浄化処理する水処理槽は、嫌気性雰囲気を形成する脱窒槽と、好気性雰囲気を形成する接触酸化槽とが区画形成され、この接触酸化槽の底部に曝気装置が配設されている。そして、この曝気装置から空気が散気されて接触酸化槽内に好気性雰囲気が形成されるようになっている。
【００１６】
このような水処理槽の接触酸化槽内に接触瀘体１が前記曝気装置の上方に臨ませて配設され、この接触瀘体１は、図１および図２に示すように、略角形枠状の骨組み枠体２と、この骨組み枠体２に上下方向に沿って張設された紐状接触材３とにて構成されている。
【００１７】
そして、紐状接触材３は、例えば特開平７―２９９４８７号公報に記載されているように、合成繊維にて形成された紐状芯材に多数のループ状繊維が引き出されて形成されている。
【００１８】
また、前記紐状接触材３を間隔をおいて懸架支持する塩化ビニル樹脂パイプなどにて形成されたパイプ状支持体４には、紐状支持体５が貫通挿通され、この紐状支持体５の両端部に形成した梁体挿通部６がパイプ状支持体４の両端開口７から導出されている。
【００１９】
また、前記パイプ状支持体４に嵌着される紐状接触材保持具８は、例えば内径が前記パイプ状支持体４の外径と略同径もしくは若干径大の塩化ビニル樹脂パイプを、長手方向に沿って周面の一部を切り欠いて切欠部９により中心部から略１８０度より大きい角度範囲の断面略半円弧状に形成され、この紐状接触材保持具８は切欠部９が弾性変形により拡開されるようになっている。
【００２０】
そして、この紐状接触材保持具８は前記パイプ状支持体４に嵌着することによりこのパイプ状支持体４に懸架された複数の前記紐状接触材３を保持する。
【００２１】
また、前記パイプ状支持体４に挿通した前記各紐状支持体５の両端部に形成されこのパイプ状支持体４の両端開口７からそれぞれ導出されている梁体挿通部６には、梁体１０が挿通される。
【００２２】
この梁体１０は、例えば塩化ビニル樹脂パイプにて成形され、この梁体１０に嵌着される紐状支持体保持具１１は、例えば内径が前記梁体１０の外径と略同径もしくは若干径大の塩化ビニル樹脂パイプを、長手方向に沿って周面の一部を切り欠いて切欠部１２により中心部から略１８０度より大きい角度範囲の断面略半円弧状に形成され、この紐状支持体保持具１１は切欠部１２が弾性変形により拡開されるようになっている。そして、この紐状支持体保持具１１は前記梁体１０に嵌着することによりこの梁体１０を挿通した複数の前記紐状支持体５の両端部を保持する。
【００２３】
次に、前記左右の梁体１０を平行状に塩化ビニル樹脂パイプなどにて形成した水平連結体１３にて連結した上部枠状体１４と下部枠状体１５とを形成し、この上部枠状体１４と下部枠状体１５とを平行状に塩化ビニル樹脂パイプなどにて形成した垂直連結体１６にて連結して、略角枠状に前記骨組み枠体２が形成される。そして、この梁体１０、水平連結体１３及び垂直連結体１６の連結部はこの梁体１０を水平方向に嵌挿する梁体嵌挿部１７と、この梁体嵌挿部１７と水平方向に直交する方向の水平連結体１３を水平方向に嵌挿する水平連結体嵌挿部１８及びこの水平連結体嵌挿部１８と垂直方向に直交する垂直連結体嵌挿部１９を有する連結具２０、２１にて着脱自在に連結される。
【００２４】
そして、前記上部枠状体１４のパイプ状支持体４に懸架した紐状接触材３の上部を支持するとともに、前記下部枠状体１５のパイプ状支持体４に懸架した紐状接触材３の下部を支持される。
【００２５】
なお、前記下部枠状体１５の連結具２１には、下面に載置台杆２２を嵌挿する、例えば塩化ビニル樹脂パイプにて形成される載置台杆嵌挿部２３が形成され、前記骨組み枠体２は、連結具２１の載置台杆嵌挿部２３に嵌挿した前記載置台杆２２によって水処理槽の底部との間に曝気装置を配設する空間を形成する。
【００２６】
次に、上記実施の形態の例の作用について説明する。
【００２７】
予め、パイプ状支持体４に紐状支持体５を挿通して両端部の多数の紐状接触材３の両端部に形成した梁体挿通部６をこのパイプ状支持体４の両端開口７から導出させ、この各パイプ状支持体４に挿通されている紐状支持体５の両端部に形成されている梁体挿通部６に左右の梁体１０をそれぞれ順次に挿通する。
【００２８】
そして、両梁体１０の両端部に連結具２０の梁体嵌挿部１７をそれぞれ嵌挿し、この左右の梁体１０に嵌着した紐状支持体保持具１１にて紐状支持体５の両端部を所望間隔ごとに保持し、この紐状支持体５を嵌挿したパイプ状支持体４を所望間隔に位置決め保持する。
【００２９】
次いで、この左右の梁体１０の両端部にそれぞれ嵌合されている連結具２０，２１の水平連結体嵌挿部１８に水平連結体１３の両端部をそれぞれ嵌挿して左右の梁体１０を連結して上部及び下部枠状体１４，１５を構成する。
【００３０】
次いで、この上部及び下部枠状体１４，１５の連結具２０，２１の垂直連結体嵌挿部１９に垂直連結体１６の両端部を嵌挿することにより略正方形状の骨組み枠体２を構成する。
【００３１】
次に、この骨組み枠体２の隣接する上部及び下部枠状体１４，１５のパイプ状支持体４に、順次に紐状接触材３を巻回懸架して上部及び下部枠状体１４，１５のパイプ状支持体４間に紐状接触材３を張設する。
【００３２】
そして、この各パイプ状支持体４に嵌着した紐状接触材保持具８によって紐状接触材３の懸架間隔を所望間隔ごとに位置決め保持する。
【００３３】
次いで、骨組み枠体２を形成する上部及び下部枠状体１４，１５の連結具２０、２１の垂直連結体嵌挿部１９から垂直連結体１６を紐状接触材３の多少の伸びを利用して取外し、上部及び下部枠状体１４，１５を互いに重ね合わせて扁平状として水処理槽が施工された現場まで搬送する。
【００３４】
また、現場では、骨組み枠体２の上部及び下部枠状体１４，１５の連結具２０、２１の各垂直連結体嵌挿部１９に垂直連結体１６の両端部をそれぞれ紐状接触材３の多少の伸びを利用して嵌挿して骨組み枠体２を組立てることによって、上部及び下部枠状体１４，１５の各パイプ状支持体４に懸架した紐状接触材３が上下方向に平行状に張設される。
【００３５】
さらに、骨組み枠体２の下部枠状体１５に取付けた連結具２１の載置台杆嵌挿部２３に嵌挿した前記載置台杆２２を嵌挿し、骨組み枠体２の下部に水処理槽の底部との間に曝気装置を配設する空間を形成する。
【００３６】
そして、骨組み枠体２に紐状接触材３を張設した接触瀘体１の下方の空間に曝気装置を配設するように、接触瀘体１を水処理槽の接触酸化槽内の底部に載置して、接触瀘体１を接触酸化槽内に収容する。
【００３７】
紐状接触材３は上部枠状体１４と下部枠状体１５とのパイプ状支持体４に懸架するのみで張設でき、パイプ状支持体４は紐状接触材３を取付けた紐状支持体５に挿通する必要がなく、また、紐状支持体５を懸架したパイプ状支持体４は撓みにくく、さらに、パイプ状支持体４に懸架された紐状接触材３は円弧状の紐状接触材保持具８をパイプ状支持体４に嵌着するのみで保持され、紐状接触材３はずれ動くことがなく、紐状接触材３の間隔を均一に張設でき、紐状接触材３が均一に張設され、好気性微生物による酸化分解の効率が高められる。
【００３８】
また、紐状接触材３を懸架したパイプ状支持体４に円弧状の紐状接触材保持具８を嵌着するのみで保持され、このパイプ状支持体４に挿通した紐状支持体５は梁体１０に嵌着した円弧状の紐状支持体保持具１１にて位置決め保持され、紐状接触材３の間隔が保持され、紐状接触材３が確実に均一に張設され、好気性微生物による酸化分解の効率が高められる。
【００３９】
さらに、パイプ状支持体４に挿通した紐状支持体５の両端部の梁体挿通部６にそれぞれ梁体１０を挿通して保持し、この梁体１０に水平連結体１３をそれぞれ連結して上部枠状体１４と下部枠状体１５とをそれぞれ形成し、この上部枠状体１４と下部枠状体１５を垂直連結体１６にて連結して骨組み枠体２を形成することにより、組み立て性が向上しコストが低減するとともに、組み立てが容易であるため、上部枠状体１４と下部枠状体１５および骨組み枠体２を現場にて容易に組立てられ、パイプ状支持体４、水平連結体１３及び垂直連結体１６を部品の形態で搬送可能となり、搬送スペースが縮小し、安価で容易に搬送可能となる。
【００４０】
さらに、組み立てが容易であるため、垂直連結体１６は搬送後に組み立てができ、搬送時の形態を上部枠状体１４と下部枠状体１５を互いに重ね合わせた扁平状とすることができ、搬送スペースを縮小でき、搬送コストも低減できる。
【００４１】
なお、接触瀘体１は骨組み枠体２を複数段に重ね合せることもできる。
【００４２】
また、水処理槽が産業用で接触酸化槽内の容積が大きい場合には、接触瀘体１は骨組み枠体２を複数段に重ね合せることもできる。
【００４３】
【発明の効果】
請求項１記載の発明によれば、紐状接触材はパイプ状支持体に懸架するのみで容易に張設でき、パイプ状支持体は紐状接触材を取付けた紐状支持体に挿通する必要がなく、また、紐状支持体を懸架したパイプ状支持体は撓みにくく、さらに、パイプ状支持体に懸架された紐状接触材は容易に保持され、紐状接触材はずれ動くことがなく、紐状接触材の間隔を均一に張設でき、紐状接触材が均一に張設され、好気性微生物による酸化分解の効率が高められる。
【００４４】
請求項２記載の発明によれば、紐状接触材を懸架したパイプ状支持体に容易に保持され、紐状接触材の間隔が保持され、紐状接触材が確実に均一に張設され、好気性微生物による酸化分解の効率が高められる。
【００４５】
請求項３記載の発明によれば、組み立て性が向上しコストが低減するとともに、組み立てが容易であるため、上部枠状体と下部枠状体および骨組み枠体を現場にて容易に組立てられ、パイプ状支持体、水平連結体及び垂直連結体を部品の形態で搬送可能となり、搬送スペースが縮小し、安価で容易に搬送可能となる。
【図面の簡単な説明】
【図１】本発明の水処理槽用接触材の支持装置の一実施の形態を示す一部を拡大した分解斜視図である。
【図２】同上水処理槽用接触材の支持装置の斜視図である。
【符号の説明】
２　　骨組み枠体
３　　紐状接触材
４　　パイプ状支持体
５　　紐状支持体
６　　梁体挿通部
７　　両端開口
８　　紐状接触材保持具
１０　　梁体
１１　　紐状支持体保持具
１３　　水平連結体
１４　　上部枠状体
１５　　下部枠状体
１６　　垂直連結体
【図１】
2004066189.tif 000003
【図２】
2004066189.tif 000004